(57)【要約】【課題】侵入に手間がかかり侵入盗被害の防止に効果的で安価な補助ロック付引違いサッシの提供を目的とする。特に、室外から補助ロックの施錠部分を見えなくするとともに、補助ロックそのものの存在を分かりにくくした。【解決手段】内障子召合框は、パネル嵌合溝の反対側面の室外側に中空状部を備え、パネル嵌合溝と中空状部の間の外障子召合框対向部に台座取付部を有し、外障子召合框は、内障子召合框の台座取付部の対向面に内障子召合框側が開口するロック受けを有し、補助ロックは、台座とロック回転子と操作レバーとからなり、台座は内障子召合框の台座取付部に取り付け、回転子及び操作レバーは台座に軸着し、操作レバーは中空状部内に位置し、中空状部の室内側壁に、操作レバーを室内側から操作するための切除部を設けてあり、操作レバーの操作によりロック回転子がロック受け内に出没自在である。【選択図】  図１
2006028974.tif 000002
【特許請求の範囲】
【請求項１】
補助ロックを備え、
内障子召合框は、パネル嵌合溝の反対側面の室外側に中空状部を備え、パネル嵌合溝と中空状部の間の外障子召合框対向部に台座取付部を有し、
外障子召合框は、パネル嵌合溝と、内障子召合框の台座取付部の対向面に内障子召合框側が開口するロック受けを有し、
補助ロックは、台座とロック回転子と操作レバーとからなり、台座は内障子召合框の台座取付部に取り付け、ロック回転子及び操作レバーは台座に軸着し、操作レバーは中空状部内に位置し、
中空状部の室内側壁に、操作レバーを室内側から操作するための切除部を設けてあり、操作レバーの操作によりロック回転子がロック受け内に出没自在であることを特徴とする引違いサッシ。
【請求項２】
中空状部は、内障子召合框と別体のカバー部材を内障子召合框に取り付けることにより形成してあり、カバー部材は、室外側壁と室内側壁、及びパネル嵌合溝と反対側で室外側壁と室内側壁を連結する連結壁を備え、このカバー部材を、外障子召合框側から内障子召合框に取り付けてあることを特徴とする請求項１記載の引違いサッシ。
【発明の詳細な説明】
【技術分野】
【０００１】
本発明は防犯用サッシに関し、特に補助ロック付の引違いサッシに係る。
【背景技術】
【０００２】
警察庁によると、住宅における侵入盗被害は増加の一途をたどり、発生件数は２００２年で前年比１７％増の約１８万件を数え、１０年前の１．５倍に増えている。
侵入の手口で最も多いのが窓からであり、侵入盗はサッシのガラスを破って解錠し、侵入している。
財団法人都市防犯研究センターのデータによれば、侵入者が嫌うのは侵入に時間がかかることであり、侵入に２〜５分かかると約７０％が犯行をあきらめるとの報告がある。
【０００３】
窓からの侵入を防ぐ手段として、ガラスを破れないようにした合わせガラスが提案されている。
しかし、防犯性は高いものの高価であり場合によってはサッシ本体よりも高く、市場における採用度は低い。
【０００４】
特開２００４−３６２８１号公報には、強引にこじ開けられて窓が破壊されるのを防止した補助錠を開示するが、構造は複雑で施工性に劣る。
【０００５】
【特許文献１】特開２００４−３６２８１号公報
【発明の開示】
【発明が解決しようとする課題】
【０００６】
本発明は上記背景に鑑みて、侵入に手間がかかり侵入盗被害の防止に効果的で安価な補助ロック付引違いサッシの提供を目的とする。
特に、室外から補助ロックの施錠部分を見えなくするとともに、補助ロックそのものの存在を分かりにくくし、侵入に要する時間が大幅にかかることになり、侵入をあきらめさせるようにしたものである。
【課題を解決するための手段】
【０００７】
本発明に係る引違いサッシは、補助ロックを備え、内障子召合框は、パネル嵌合溝の反対側面の室外側に中空状部を備え、パネル嵌合溝と中空状部の間の外障子召合框対向部に台座取付部を有し、外障子召合框は、パネル嵌合溝と、内障子召合框の台座取付部の対向面に内障子召合框側が開口するロック受けを有し、補助ロックは、台座とロック回転子と操作レバーとからなり、台座は内障子召合框の台座取付部に取り付け、ロック回転子及び操作レバーは台座に軸着し、操作レバーは中空状部内に位置し、中空状部の室内側壁に、操作レバーを室内側から操作するための切除部を設けてあり、操作レバーの操作によりロック回転子がロック受け内に出没自在であることを特徴とする。
【０００８】
ここで中空状部は、内障子召合框と一体的に形成してもよいが、内障子召合框と別体のカバー部材を内障子召合框に取り付けることにより形成し、カバー部材は、室外側壁と室内側壁、及びパネル嵌合溝と反対側で室外側壁と室内側壁を連結する連結壁を備え、このカバー部材を、外障子召合框側から内障子召合框に取り付けるようにしてもよい。
【発明の効果】
【０００９】
本発明においては、補助ロックの操作レバーを内障子召合框の中空状部内に配置したので室外側から補助ロック（操作部）が見えず、仮に窓ガラスを部分的に破り、クレセント錠等の主錠をハンドル操作にて解錠しても何故窓が開かないのか分からなくなる。
更には補助ロックの操作レバー部分を中空状部を切り欠いて納めたので、手探りでは指先がこの中空状部室内側壁に当たり、補助ロックの有無が分かりにくい。
それにより、気があせり侵入をあきらめることが期待できる。
本発明においては、内障子召合框の中空状部を形成する室内壁に部分的な切除部を形成して補助ロックの操作レバーを納めた構造にしたので、内障子召合わせ部上下方向に例えば、図３に示すようなスッキリしたラインを形成でき、室内側からの外観意匠性に優れる。
また、中空状部を内障子召合框とは別体のカバー部材とすると、内障子召合框に補助ロックを取り付けた後にカバー部材を取り付ければよくなり、内障子召合框への補助ロックの取り付けが容易になる。
【発明を実施するための最良の形態】
【００１０】
本発明に係る補助ロック付引違いサッシの例として、その内観姿図を図９に示し、縦断面図を図４に、横断面図を図５にそれぞれ示す。
クレセント錠６０は、従来の引違いサッシと同様に、障子召合せ部のほぼ中央部に取り付けている。
本発明においては、このクレセント錠６０等の主錠の他に、補助ロック５０を障子召合せ部に取り付けたものである。
なお、図４及び図５では、分かりやすくするために、クレセント錠及び補助ロックを透視して表してある。
図９に示す例は、クレセント錠の上側と下側の２カ所に補助ロック５０を取り付けた例を示すが、補助ロックの取り付け数、取り付け位置に限定はなく、取り付け構造を後述するように、召合せ部の任意の高さに取り付けることが可能である。
図４、図５にて、クレセント錠６０を説明する。
このクレセント錠６０は、回動爪部６１とこの爪部を回動操作するクレセント操作レバー６２を備えていて、回動爪部６１が外障子側に設けたクレセント爪の受け部６３に係脱するようになっている。
これにより、外障子を内障子側に引き寄せるようにしてロックする。
なお、本発明の特徴は、先に述べたように、主錠の他に補助ロックを取り付けた点にあり、主錠はクレセント錠に限定するものではなく、各種主錠を採用できる。
【００１１】
引違いサッシは、図４、図５に示すように建築物の躯体開口部に、上枠１１、下枠１２、左右の縦枠１３、１４からなる略方形の外枠を形成して取り付けている。
この外枠開口部内に、室内側の内障子２０と室外側の外障子とを装置した引違いサッシとなっている。
なお、内障子２０及び外障子３０と外枠との間の気密性、水密性を確保する目的でタイト材１２ａ、１３ａ、１４ａとそれぞれ取り付けている。
【００１２】
内障子２０は、上框２１、下框２２、戸先框２３及び召合框２４にて矩形の枠を形成し、内側にガラス等のパネル２５を装着する。
同様に、外障子３０は、上框３１、下框３２、戸先框３３及び召合框３４にて矩形の枠を形成し、内側にガラス等のパネル３５を装着する。
【００１３】
次に、補助ロック５０の取り付け構造を図１〜図３に基づいて説明する。
図１（イ）は、召合せ部内観図で、図１（ロ）は内障子の召合せ部外観図を示す。
内障子召合框２４は、ガラス等のパネル２５を装着するパネル嵌合溝２６の反対側面の室外側に中空状部２７を備え、パネル嵌合溝２６と中空状部２７の間で、外障子召合框３４の対向部に台座取付部２８を有している。
この台座取付部は、アルミ押出材等で内障子召合框を製作する際にその全長にわたって形成できるので、台座を任意の高さに取り付けることができる。
外障子召合框３４は、パネル３５を装着するパネル嵌合溝３６と、内障子召合框２４の台座取付部２８の対向面に内障子召合框側が開口するロック受け３７ａ（図７参照）又は３７（図６参照）を有している。
補助ロック５０は、台座５１とロック回転子５２と操作レバー５３とからなり、台座５１は内障子召合框２４の台座取付部２８に取り付け、ロック回転子５２及び操作レバー５３は台座５１に軸５４にて軸着し、操作レバー５３は中空状部２７の内側に位置している。
また、中空状部２７の室内側壁４２に、操作レバー５３を室内側から操作するための切除部４４を設けてあり、操作レバー５３の操作によりロック回転子５２がロック受け内に出没自在になっている。
ここで、ロック受けは補助ロックの施錠時にロック回転子５２と係止するためのものであり、例えば、図７の（ハ）に立面図を示すように、外障子召合框をアルミ押出材等で製作する際に断面形状としてロック受け部３７ａを形成してもよく、図４〜図６に示すように、袋形状のロック受け３７を外障子召合框３４であって、内障子召合框２４の台座取付部２８の対向面に取り付けてもよい。
召合せ部の補助ロックの位置関係を図６にて説明する。
図６（ハ）に示すように、障子が閉じた状態では、召合せ部は内障子召合框の煙返し２９と外障子召合框の煙返し３９が当接し、召合框タイト材３８が相手側框に当接し気密、水密性を確保している。
なお、図６に示す例では、補助タイト材４６をタイト材ホルダー４１ｂに取り付けている。
ロック回転子５２とロック受け３７はこの召合框タイト材及び煙返しと共に配置している。
【００１４】
内障子召合框２４の中空状部２７はアルミ押出材等で内障子召合框を製作する際に一体的に形成してもよいが、図２に組み立て図を示すように、内障子召合框２４と別体のカバー部材４０を内障子召合框に取り付けることにより形成してもよい。
この場合には、カバー部材４０は、室外側壁４１と室内側壁４２、及びパネル嵌合溝と反対側で室外側壁と室内側壁を連結する連結壁４３を備え、外障子召合框３４側から内障子召合框２４に取り付けることになる。
カバー部材４０の取り付け方法としては、各種方法を採用できるが、図２に示す例は、次のような構造になっている。
内障子召合框２４の台座取付部２８に、取付孔５１ａを形成した台座５１をビス等の係止部材５５にて取り付ける。
この際に、補助ロック５０の操作レバー５３が納まるように、カバー部材４０の室内側壁４２の一部を切除して切除部４４を形成し、さらに、補助ロックの軸部との干渉を避けるために室外側壁４１に切欠け部４１ｃ、内障子召合框２４に切欠け部２４ｂを形成する。
内障子召合框２４にはカバー部材の取付部２４ａとして嵌合溝等を形成し、カバー部材側にはこの嵌合溝に嵌着する連結部４１ｂを形成している。
この内障子召合框２４の取付部２４ａと、カバー部材側の連結部４１ｂを組み合わせ、ビス等の係止部材４５にて固定する。
また、カバー部材４０の室内側壁４２の切除部端部には小口キャップ４４ａ、４４ｂを取り付けて塞いでいる。
【００１５】
これにより、図３に示すように、補助ロックの施錠時には操作レバー５３がカバー部材４０の切除部４４に納まり、図８に例を示すように、室外側からは視線を（ａ）、（ｂ）、（ｃ）とずらしても補助ロックの存在が見えない。
従って、仮に窓ガラスを部分的に破り、クレセント錠等の主錠を解除しても何故、戸が開かないのか分からず、特に、本発明においては内障子召合框に中空状部２７を形成し、部分的に切除部４４を設けて、操作レバー５３を納めたので、室外側からの手探りでは、室内側壁４２に指先が当るため、補助ロックの存在に気がつかず、気が焦り、侵入を諦めることが期待できる。
【図面の簡単な説明】
【００１６】
【図１】本発明に係る引違いサッシの召合せ部の構造例を示す。
【図２】補助ロックの取り付け構造例を示す。
【図３】補助ロックの操作方法を示す。
【図４】本発明に係る引違いサッシの縦断面図を示す。
【図５】本発明に係る引違いサッシの横断面図を示す。
【図６】本発明に係る補助ロックの例を示す。
【図７】補助ロックの他の例を示す。
【図８】外部から補助ロックが見えない説明図を示す。
【図９】本発明に係る引違いサッシの内観図を示す。
【符号の説明】
【００１７】
１１    上枠
１２    下枠
１２ａ  下枠タイト材
１３、１４      縦枠
１３ａ、１４ａ  縦枠タイト材
２０    内障子
２１    内障子上框
２２    内障子下框
２３    内障子戸先框
２４    内障子召合框
２４ａ  内障子召合框のカバー取付部
２５、３５    パネル
２６、３６    パネル嵌合溝
２７    中空状部
２８    台座取付部
２９    煙返し片
３０    外障子
３１    外障子上框
３２    外障子下框
３３    外障子戸先框
３４    外障子召合框
３７    ロック受け
３７ａ  ロック受け部
４０    カバー部材
４１    カバー部材の室外側壁
４１ａ  カバー部材の連結部
４１ｂ  カバー部材のタイト材ホルダー
４２    カバー部材の室内側壁
４３    カバー部材の連結壁
４４    切除部
４４ａ、４４ｂ  小口キャップ
４５、５５    係止部材（ビス）
５０    補助ロック
５１    台座
５１ａ  取付孔
５２    ロック回転子
５３    操作レバー
５４    軸
６０    クレセント
６１    クレセント回動爪部
６２    クレセント操作レバー（操作ハンドル）
６３    クレセントの爪受け部
【図１】
2006028974.tif 000003
【図２】
2006028974.tif 000004
【図３】
2006028974.tif 000005
【図４】
2006028974.tif 000006
【図５】
2006028974.tif 000007
【図６】
2006028974.tif 000008
【図７】
2006028974.tif 000009
【図８】
2006028974.tif 000010
【図９】
2006028974.tif 000011